(57)【特許請求の範囲】
【請求項１】
雄と雌の２つの要素を備え、この要素が２つのパイプ部分の端部に固定され、軸方向に互いに装着され、ロックされ、そして内側の弁を開放する、圧力流体取扱設備用安全回路遮断装置において、前記流体を通過させるための少なくとも１つの半径方向オリフィスから離れた位置と、前記オリフィスを塞ぐ位置との間で移動可能なスリーブと、雄要素のコネクタと相対的に前記スリーブを取外し可能にロックするための手段とを備え、前記雌要素を開放する方向への前記コネクタの移動により、スリーブが同じ方向に一緒に移動し、流体を通過させるための半径方向オリフィスに向き合うことを特徴とする回路遮断装置。
【請求項２】
前記雌要素の中空体の内側に一列のボールが配置され、前記ボールが前記スリーブのハウジング内に収容され、かつ前記コネクタの外側の環状溝に係合することを特徴とする請求項１記載の回路遮断装置。
【請求項３】
前記半径方向オリフィスが環状空間を形成するように設けられ、この環状空間が前記中空体の周りにおいて前記雌要素の本体内に形成され、かつ前記コネクタの内側通路に接続していることを特徴とする請求項１記載の回路遮断装置。
【請求項４】
前記コネクタによって移動させられる前記スリーブが、圧力流体によって前記スリーブにほぼ半径方向の力および求心力が加えられるような位置にあることを特徴とする請求項１記載の回路遮断装置。
【請求項５】
前記中空体が前記ボールを受け入れるための内側の溝を備え、前記溝が前記コネクタの前記の外側環状溝の外に前記ボールを引っ込めることができることを特徴とする請求項１記載の回路遮断装置。
【請求項６】
前記雄コネクタの引抜き方向に弾性的に付勢されたブッシュを備え、このブッシュがフランジを備え、このフランジが前記スリーブ内に侵入し、前記中空体の前記内側溝内にボールを保持することを特徴とする請求項５記載の回路遮断装置。
【請求項７】
前記雌要素内に収容された流体接続要素を備え、この流体接続要素が前記流体を循環させるための少なくとも１つの通路と、雌要素の本体内で前記中空体を位置決めするように、前記中空体に侵入する軸方向延長部とを備えていることを特徴とする請求項１記載の回路遮断装置。
【請求項８】
前記雌要素内に収容された流体接続要素を備え、この流体接続要素が前記流体を循環させるための少なくとも１つの通路と、雌要素の本体内で前記中空体を位置決めするように、前記中空体に侵入する軸方向延長部とを備え、前記ブッシュが前記中空体内で、前記接続要素の前記軸方向延長部に弾性的に支持されていることを特徴とする請求項６記載の回路遮断装置。
【請求項９】
流体を通過させるための前記半径方向のオリフィスが、前記中空体のための位置決めストッパーとして作用するリングによって形成されていることを特徴とする請求項１記載の回路遮断装置。
【請求項１０】
雄と雌の２つの要素を備え、この要素が２つのパイプ部分の端部に固定され、軸方向に互いに装着され、そして内側の弁を開放し、雌要素内での雄要素のロックが一列のボールによって行われ、このボールが雌要素の本体の穴内に取付けられ、かつ雄要素のコネクタの外側の壁に形成された環状溝に半径方向から係合し、前記ボールが弾性的に付勢されたスライダによって支持されており、前記スライダを弾性的に付勢する手段が、前記ボールを前記スライダ内に突出させる位置の方に、前記スライダを押し、そして前記スライダが前記雌要素の内側の方へのスライダの移動を制限するストッパーに支持され、前記雌要素への雄コネクタの挿入がこの位置で防止されることを特徴とする請求項１〜９のいずれか一つに記載の回路遮断装置。
【請求項１１】
前記雌要素が前記弁を含む本体と補助体によって形成された２つの部分からなり、補助体内で前記スライダが移動可能であり、前記本体と補助体が取外し可能に組み立てられていることを特徴とする請求項１０記載の回路遮断装置。
【請求項１２】
前記弾性的な付勢手段が前記スライダを前記位置に向けて押し、この位置が前記本体に対する前記スライダの支持部に一致していることを特徴とする請求項１１記載の回路遮断装置。
【請求項１３】
雌要素の前記本体が、前記の弾性的な付勢手段に抗して前記スライダを移動させるときに前記ボールを受け入れるための内側環状溝を有することを特徴とする請求項１０記載の回路遮断装置。
【請求項１４】
前記コネクタが逆止弁を形成するフロートを支持するためのタブを有する中央の通路を備えていることを特徴とする請求項１０記載の回路遮断装置。
【請求項１５】
前記弾性的戻し手段に抗して、前記ボールを引っ込める位置の方に、前記スライダを移動させるための工具を備え、それによってボールが前記スライダの内側の方へ突出しないことを特徴とする請求項１０記載の回路遮断装置。
【請求項１６】
前記弾性的戻し手段に抗して、前記ボールを引っ込める位置の方に、前記スライダを移動させるための工具を備え、それによってボールが前記スライダの内側の方へ突出せず、前記工具が前記本体内の適所において前記補助体と組み立てられ、前記工具が前記スライダの移動のためのストッパーを備えていることを特徴とする請求項１１記載の回路遮断装置。
【請求項１７】
前記工具が前記雄コネクタを受け入れるための中空空間を有することを特徴とする請求項１５記載の回路遮断装置。
【発明の詳細な説明】
【０００１】
【発明の属する技術分野】
本発明は、例えば可燃ガスを充填するための設備、特に、圧力下のメタンを自動車のタンクに充填するための設備のような圧力流体取扱設備用の安全回路遮断装置に関する。
【０００２】
【従来の技術】
比較的に短い時間で自動車タンクに流体を満たすために、２００バールのオーダーや２５０バールに達するオーダーの圧力が使用される。この高い値の圧力を考慮して、ガスの引火性の性質の観点から、大気へのあらゆる漏れの危険を防止しなければならない。更に、充填中に誤ってタンクが移動する可能性が常にある。このタンクの移動は、自動車をしっかりと停止しなかったり、使用者の一部の不注意によって生じる。それによって、パイプが破裂し、周囲大気にガスがコントロールできないほど逃げる。
【０００３】
フランス国特許第２７０８０７８号明細書は、圧力流体取扱設備のための回路遮断装置を開示している。この設備は、所定の閾値を超える軸方向の引張り力が作用すると、正確な位置でこのパイプを切断することにより、充填中の可撓性ホースの破裂の危険を防止することができる。このような切断は圧力流体源に接続されるパイプの上流部分を自動的に塞ぐことによって行われる。
【０００４】
この公知の回路遮断装置の場合には、ボールが雄コネクタの中央通路内に設けられ、弁を形成するようにシートに載っている。この構造は小さな径の管路には適しているが、大きな直径の管路、特に１０ｍｍ以上の直径の管路には容易に使用できない。実際、ボールに加わる圧力がボールの半径の２乗に比例する力を生じる。この力はシールを塑性変形するような大きさであり、弁のレベルで漏れを生じる。
【０００５】
更に、ボールの直径が大きいと、慣性力が大きくなり、その結果弁の閉鎖の応答時間が所望な使用に合わなくなる。
フランス国特許第２７０８０７８号明細書記載の公知の回路遮断装置では、回路遮断装置が複数のパイプの１本にかなりの引張力が作用することによって回路遮断装置が開放した後、特別な予防措置なしに雄要素に雌要素を再び装着することができる。例えば、自動車タンクに流体を充填するためのステーションの例では、この公知の装置の使用者は、自分自身で供給を続けるために回路遮断装置を新たに接続することによって供給を続けることができる。この方法は使用者が正しく機能させるために設備の能力を正しく評価することができない場合危険である。更に、回路遮断装置を組み込んだ設備の良好な管理のために、この回路遮断装置の強制開放の数に留意することが特に効果的である。これは、機能不良の危険を避けるために、注意によって、ちょうどよいときに変化させて進めるように行われる。これは技術水準の公知の装置では不可能である。
【０００６】
【発明が解決しようとする課題】
本発明の目的は、高圧下でかつ比較的に大きな管路を用いて、しかも閉鎖弁のレベルでの漏れの危険なしに操作可能である安全回路遮断装置を提供することによって、これらの欠点に打ち勝つことである。本発明の他の目的は、権能を有するスタッフによって開放が検出可能である回路遮断装置を提供することである。
【０００７】
【課題を解決するための手段】
そのために、本発明は、雄と雌の２つの要素を備え、この要素が２つのパイプ部分の端部に固定され、軸方向に互いに装着され、ロックされ、そして内側の弁を開放する、圧力流体取扱設備用安全回路遮断装置に関し、この回路遮断装置は、流体を通過させるための少なくとも１つの半径方向オリフィスから離れた位置と、このオリフィスを塞ぐ位置との間で移動可能なスリーブと、雄要素のコネクタと相対的にスリーブを取外し可能にロックするための手段とを備え、雌要素を開放する方向へのコネクタの移動により、スリーブが同じ方向に一緒に移動し、流体を通過させるための半径方向オリフィスに向き合うことを特徴とする。
【０００８】
本発明により、スリーブは圧力によってではなく、雄コネクタの能動的な作用によって移動する弁の役割を担う。本発明の回路遮断装置は、管路の直径と流体の圧力がどんなであろうとも正しく機能する。
本発明の第１の有利な実施形では、雌要素の中空体の内側に一列のボールが配置され、このボールがスリーブのハウジング内に収容され、かつコネクタの外側の環状溝に係合する。このボールは雄コネクタに対してスリーブを軸方向にロックするための効果的な手段を形成する。
【０００９】
本発明の他の有利な実施形では、圧力流体がほぼ半径方向の力および求心力をスリーブに加えるような位置の方へ、雄コネクタによって移動させられる。軸方向の力が作用しないので、スリーブが圧力流体の作用を受けて軸方向に移動することが回避される。
本発明の他の有利な実施形では、半径方向オリフィスが環状空間を形成するように設けられ、この環状空間が中空体の周りにおいて雌要素の本体内に形成され、かつコネクタの内側通路に接続している。
【００１０】
本発明の他の有利な実施形では、中空体がボールを受け入れるための内側の溝を備え、この溝がコネクタの外側環状溝の外にボールを引っ込めることができ、従って中空体の内側の溝はボールを半径方向外側に駆動し、引抜きストロークの終わりに雄コネクタの拘束を解除する。この作用はコネクタ上にスリーブを取外し可能にロックする特性に一致する。
【００１１】
本発明の他の有利な実施形では、雄コネクタの引抜き方向に弾性的に付勢されたブッシュを備え、このブッシュがフランジを備え、このフランジがスリーブ内に侵入し、中空体の内側溝内でボールを保持する。従って、ブッシュは中空体の溝内にボールを保持することによって中空体に対してスリーブを効果的にロックする。
【００１２】
本発明の他の有利な実施形では、雌要素内に収容された流体接続要素を備え、この流体接続要素が流体を循環させるための少なくとも１つの通路と、雌要素の本体内で中空体を位置決めするように、中空体に侵入する軸方向延長部とを備えている。従って、連結要素は流体の流れと、回路遮断装置を構成する位置決め要素に関する二つの役割をする。特に、ブッシュは中空体内で連結要素の軸方向延長部に対して弾性的に支持されている。
【００１３】
本発明の他の有利な実施形では、流体を通過させるための半径方向のオリフィスが、中空体のための位置決めストッパーとして作用するリングによって形成されている。従って、このリングは流体機能と、回路遮断装置を構成する位置決め要素の機能を有する。
本発明は更に、雄と雌の２つの要素を備え、この要素が２つのパイプ部分の端部に固定され、軸方向に互いに装着され、そして内側の弁を開放し、雌要素内での雄要素のロックが一列のボールによって行われ、このボールが雌要素の本体の穴内に取付けられ、かつ雄要素のコネクタの外側の壁に形成された環状溝に半径方向から係合し、ボールが弾性的に付勢されたスライダによって支持されている、圧力流体取扱設備用安全回路遮断装置に関し、この遮断装置は、スライダを弾性的に付勢する手段が、ボールをスライダ内に突出させる位置の方に、スライダを押し、そしてスライダが前記雌要素の内側の方へのスライダの移動を制限するストッパーに支持され、雌要素への雄コネクタの挿入がこの位置で防止されることを特徴とする。
【００１４】
本発明のこの実施形により、回路遮断装置は、一方または他方のパイプの引張りによって開放した後、使用者はメンテナンスの権能を有する人に報告しなければならない。この人は雄要素と雌要素を再び連結することによって中断した供給を続ける。そして、メンテナンスを行う人は厳密にチャックし、この出来事を記録するために書き留める。
【００１５】
本発明の他の有利な実施形では、雌要素が弁を含む本体と補助体によって形成された２つの部分からなり、補助体内でスライダが移動可能であり、本体と補助体が取外し可能に組み立てられている。本体と補助体の間の連結部の取外しまたは分解可能な性質は、雄連結の開始が可能である位置の方へスライダを移動させるために、スライダを介入することを可能にする。
【００１６】
弾性的な付勢手段がスライダを上記位置に向けて押し、この位置が雌要素の本体に対するスライダの支持部に一致している。これにより、補助体が本体から連結解除されているときに、スライダの支持が解除され、その結果スライダは雄コネクタの挿入を可能にする位置の方へ移動することができる。
本発明の他の有利な実施形によれば、雌要素の本体が、弾性的な付勢手段に抗してスライダを移動させるときにボールを受け入れるための内側環状溝を有する。この構造は雌要素からの雄コネクタの移動のときに、雄コネクタの外側の環状溝からボールを出すことができる。従って、この構造は、連結すべきパイプにかなりの引張力が作用したときに、回路遮断装置の破壊を防止する。
【００１７】
コネクタは好ましくは、逆止弁を形成するフロートを支持するためのタブを有する中央の通路を備えている。本発明のこの実施形は、回路遮断装置が開放されるときに、雄コネクタに連結されたパイプ内に含まれる流体が大気に流出しないようにする。
本発明の他の有利な実施形では、回路遮断装置が、弾性的戻し手段に抗して、ボールを引っ込める位置の方に、スライダを移動させるための工具を備え、それによってボールがスライダの内側の方へ突出しない。権能を有する人だけが操作することができるこの工具により、この人は雄コネクタを雌要素に再び挿入することができる。この場合、この工具は本体の適所で補助体と組み合わせられ、工具はスライダを移動させるためのストッパーを備えている。換言すると、補助体は本体に取付けられるように工具上に取付けることができる。工具上のこの組み合わせ体は、工具のストッパーのために、スライダを移動させる。
【００１８】
本発明の他の有利な実施形では、工具が雄コネクタを受け入れるための中空空間を有する。本発明のこの実施形では、補助体が工具に取付けられている間、補助体内に雄コネクタを挿入することを可能にする。
【００１９】
【発明の実施の形態】
安全回路遮断装置の原理的な実施の形態の次の記載を読むと、本発明が一層容易に理解されるであろう。この記載は例示的なものであり、図に基づくものである。
図を参照すると、図１の回路遮断装置は急速接続装置として形成され、雄要素Ａと雌要素Ｂからなっており、この両要素は管状の形をしている。雄要素Ａはコネクタ１によって形成され、このコネクタの軸方向の穴内には、逆止弁を形成するフロート３を支持するためのタブ（つまみ）２が設けられている。コネクタ１の図示していない後側部分は下流パイプ部分Ａ1 に接続され、この下流パイプ部分はその端部に、車両タンクＡ2 に流体を充填するためのノズルまたはこのノズルと同等のものを支持している。
【００２０】
雌要素Ｂは互いにねじ込まれた本体４と補助体５によって構成されている。この本体４と補助体５は中央の穴６を画成している。この中央の穴内には、コネクタ１がロック位置で収容されている。雌要素Ｂの本体４は上流パイプ部分Ｂ1 に接続され、この上流パイプ部分は圧縮されたガスの供給源Ｂ2 に接続している。穴６内には連結片７が設けられている。この連結片は上流パイプ部分Ｂ1 と中央の穴６を連通させることができる少なくとも１つの孔８を有する。連結片７は軸方向延長部９を有し、この延長部の回りに中空体１０が装着されている。この中空体は穴６内に収容されている。
【００２１】
図１に示したロック位置で、コネクタ１の前端１ａは中空体１０の中央穴１０ａに収容されている。
第１の列のボール１２はスライダ１３のハウジング１３ａ内に挿入されている。このスライダは補助体５内の穴６に収容され、ばね１４によって本体４の方へ弾性的に付勢されている。コネクタ１はボール１２を受け入れる第１の外側の環状溝１ｂを備えている。これにより、図１の位置で、ボール１２は中央の穴６内でコネクタ１を効果的にロックする。
【００２２】
更に、第２の列のボール１６がスリーブ１７内に挿入されている。一方、雄コネクタ１はその端部１ａの近くに、ボール１６を受け入れるための第２の環状溝１ｃを備えている。スリーブ１７は中空体１０の中央の凹部１０ａ内でコネクタ１の周りに配置されている。
本体４の肩４ａに隣接して、リング１８が穴６内に設けられている。このリング１８は、穴６内で中空体１０を位置決めするように、中空体１０を部分的に取り囲むフランジ１８ａを備えている。換言すると、リング１８は中央の穴６内で中空体１０の位置を定めるために延長部９と協働する。リング１８には、穴６に連通する複数の半径方向オリフィス１９が穿孔されている。
【００２３】
図３の位置で、コネクタ１を垂直に横切る半径方向孔２０が、オリフィス１９に相対して設けられている。半径方向孔２０はパイプＡ1 に接続されるコネクタ１の内側通路２１に開口している。
パイプＢ1 とＡ1 の間でのガスの循環は孔８と、中空体１０の周りの穴６内に形成された環状空間２２とを経て行われる。そして、流体はオリフィス１９と孔２０を経て内側通路２１に達し、この内側通路からパイプＡ1 に循環する。
【００２４】
要素Ａまたは要素Ｂに加わるかなり大きな引張力の作用により、これらの二つの要素が中央の穴６の開口６ａの方へのコネクタ１の平行移動によって分離されると、コネクタ１の端部１ａはボール１６とスリーブ１７を、図２の位置まで開口６ａの方向に一緒に移動させる。
この位置で、スリーブ１７は孔１９を塞ぎ、その結果パイプＢ1 とＡ1 の間の流体の循環が中断され、その際漏れを生じることがない。たとえパイプＢ1 内の圧力がどんな値でも、そして使用される管路がどんな直径でも、スリーブ１７に加わる圧力は実質的に半径方向および求心方向であり、その結果スリーブ１７を軸方向に移動させる力はスリーブに作用しない。弁の閉鎖時の漏れ防止はオリフィス１９の周りに配置されたＯリングによって確保される。
【００２５】
図２に示す位置では、ボール１６は中空体１０の内側の溝２４に向き合うまでコネクタ１の溝１ｃによって移動させられている。ボール１６は溝２４の方向に引っ込められ、ボール１６が第２の溝１ｃから出ることによってボールはコネクタ１の端部１ａの拘束を解除する。溝１ｃからボールが容易に出るようにするために、この溝はコネクタ１の端部１ａの方に向かって丸められた断面形状を有する。
【００２６】
ブッシュ２５が中空体１０の中央の穴１０ａ内に設けられ、ばね２６によって延長部９に支持されている。コネクタ１の引出し運動中、ブッシュ２５はコネクタ１の端部１ａに支持されている。ボール１６が溝２４の方向に駆動されると、スリーブ１７に入るような直径を有するフランジ２５ａの形をしたブッシュ２５の前側部分は、スリーブ１７の端部内に収容され、スリーブ１７内にボール１６のために設けられたハウジング１７ａ内の位置に、ボール１６を保持する。従って、ボール１６は溝２４内で保持され、その結果スリーブ１７は軸方向に移動することができない。これは付加的な安全要素を形成する。実際、使用者がねじ回しの先のような細長い物体を要素Ｂに挿入したり、スリーブ１７の露出部分を押したりしても、このスリーブを移動させることができない。というのは、スリーブがボール１６によって中空体１０に対してロックされているからである。従って、ブッシュ２５はフランジ２５ａのために、オリフィス１９を塞ぐ位置にスリーブ１７をきわめて効果的にロックする。
【００２７】
図１の位置から図２の位置に移行させるために、ボール１２をコネクタ１の溝１ｂから外へ駆動しなければならない。そのために、スライダ１３はばね１４の力に抗してかつ密封エラストマーキャップ２７を変形することによって穴６の開口６ａの方向に移動させられる。開口６ａの方向へのスライダ１３の変位は、ボール１２を補助体５の内側溝２８に向き合わせることができる。ハウジング１３ａとスライダ１３内のボール１２の直径および形状は、コネクタ１がない場合でも、ボールが中央の穴６内に落下しないように定められている。
【００２８】
図２の位置において、コネクタ１の前側肩部１ｄがボール１２に支持されている場合には、コネクタ１は延長部９の方向に新たに挿入できない。スライダ１３が本体４の肩部４ｂに支持されているときには、スライダ１３は、ボールを半径方向外側に駆動する位置まで移動することはできない。従って、ボールは穴６内に突出し、その結果コネクタ１は要素４，５によって形成された要素Ｂの本体の外側で保持される。
【００２９】
これにより、本発明の回路遮断装置がその構成要素の一方をまたは他方をかなりの引張力で開放したときに、これらの要素を再び容易に連結することはできない。これは、このような連結装置を装備したサービスステーションの使用者が、これらの要素を適所に戻すことを防止する。使用者は、必要なチェックを行った後で、これらの要素を交換する権能を有する人に必ず報告しなければならない。
【００３０】
図２の位置において、パイプＡ1 内の圧力により、フロート３はコネクタ１の端部１ａの方向に押されているので、フロートは半径方向の孔２０塞ぐ。これにより、パイプＡ1 内のガスの流出は、フロート３の移動の時間に制限される。
工具３０は雄要素と雌要素を再び連結するために設けられている。この工具は、図３に示すように、ねじ３１を備えている。このねじは本体４の適所に補助体５を組み合わせることを可能にする。工具３０は環状肩部３２を有し、この環状肩部とねじ３１の前部との間の間隔ｄは、本体４の対応するねじから肩部４ｂを分離する距離よりも大きい。これにより、補助体がは図３に示すように工具３０上に取付けられると、肩部３２はばね１４の力に抗してスライダ１３を押すので、ボール１２は補助体５の内側の溝２８に向き合う。
【００３１】
この位置で、ボールはこの内側の溝から引き抜くことができ、その結果コネクタ１は補助体５と工具３０によって形成された集合体内に矢印Ｆの方向に挿入可能である。そのために、工具３０は、コネクタ１の端部１ａを受け入れる中空の中央の通路３３を有する。
コネクタが要素５と３０によって形成された集合体に挿入されると、溝１ｂはボール１２に向き合うように位置する。そして、工具３０と補助体５のねじを弛めることができる。それによって、ばね１４はスライダ１３をコネクタ１の端部１ａの方向に押す。このコネクタはその作用のために、このボール１２がコネクタ１の溝１ｂに係合するまで、溝２８の傾斜面２８ａの方へボールを移動させなければならない。これにより、工具３０と補助体５を分離した後で、コネクタ１は補助体５の内側の位置にしっかりと保持される。この状態は図４の左側に示してある。
【００３２】
本発明の回路遮断装置の正しい操作状態を調べた後で、この回路遮断装置を再び閉じる必要があるときには、本体５に補助体５をねじ込み、コネクタ１の端部１ａを、ブッシュ２５のフランジ２５ａに接触するまで、図４の矢印Ｆ′方向に移動させることで充分である。コネクタ１の端部１ａはばね２６の力に抗してブッシュ２５を押し、ボール１６はコネクタ１の外側環状溝１ｃに収容される。
【００３３】
そして、装置は再び図１の位置に達する。管路Ａ1,Ｂ1 内の圧力差により、フロート３は管路Ａ1 の方向に押され、その結果上述の通路を経て行われる流体の循環が再び可能である。
圧力を加えたメタンを自動車に供給するための設備を参照して本発明について説明したがしかし、本発明の回路遮断装置の他の多くの用途が考えられることは明白である。
【図面の簡単な説明】
【図１】本発明による安全回路遮断装置の雄と雌の２つの要素の一般的な配置を示す概略的な軸方向断面図である。
【図２】雄コネクタが引き抜かれているときの、図１の２つの要素を示す図である。
【図３】雄要素と雌要素を再び連結するための、雌部分内での雄コネクタの位置決めを示す図である。
【図４】その後の再連結ステップを示す図である。
【符号の説明】
１                  コネクタ
２                  タブ
４                  本体
５                  補助体
１０                中空体
１２                ボール
１３                スライダ
１４                ばね
１６                ボール
１７                スリーブ
１８                リング
１９                オリフィス
２０                半径方向孔
２５                ブッシュ
Ａ                  雄要素
Ｂ                  雌要素
Ａ1 ，Ｂ1           パイプ部分
【図１】
0004098895.tif 000002
【図２】
0004098895.tif 000003
【図３】
0004098895.tif 000004
【図４】
0004098895.tif 000005